(57)【特許請求の範囲】
【請求項１】
釣糸の繰出しで回転する回転体の回転数に基づき糸長を計測して、その計測値を表示器に表示させる糸長計測装置を備えた魚釣用リールであって、
前記魚釣用リールの現在位置を検出してそのデータを送信する外部送信手段からの送信データを受信する受信部と、
任意に設定可能な所定の位置を記憶する記憶手段と、
前記送信データと記憶手段に設定した記憶位置に基づき、記憶位置に対する魚釣用リールの移動方向と移動速度を検出する方向／速度検出手段とを備え、
前記表示器に、魚釣用リールの移動方向と移動速度を表示可能としたことを特徴とする魚釣用リール。
【請求項２】
釣糸の繰出しで回転する回転体の回転数に基づき糸長を計測して、その計測値を表示器に表示させる糸長計測装置を備えた魚釣用リールであって、
魚釣用リールの現在位置を検出する位置検出手段と、
任意に設定可能な所定の位置を記憶する記憶手段と、
前記位置検出手段の検出値と記憶手段に設定した記憶位置に基づき、記憶位置に対する魚釣用リールの移動方向と移動速度を検出する方向／速度検出手段とを備え、
前記表示器に、魚釣用リールの移動方向と移動速度を表示可能としたことを特徴とする魚釣用リール。
【発明の詳細な説明】
【０００１】
【発明の属する技術分野】
本発明は、糸長計測装置を備えた魚釣用リールに関する。
【０００２】
【従来の技術】
近年、多くの魚釣用リールには、回転数検出手段で検出したスプールの回転数を基に釣糸の繰出し量を計測する糸長計測装置が備えられており、斯かる糸長計測装置の計測値を基に、所定の棚位置に仕掛けを繰り出すことができるようになっている。
【０００３】
ところで、近年、海上に於ける釣り船の位置を把握する方法としてＧＰＳ等の位置検索システムが釣り船に装備されており、特にＧＰＳの場合、複数の衛星から発信された信号を受信してその信号到達の時間差を計測することで位置の割り出しを行うため、釣り船の現在位置を正確に捉えることが可能となっている。
そして、船釣りを行う場合、釣り人は釣り船で魚の多いポイントまで運んでもらい、そのポイントで表示器の表示を見乍ら、仕掛けを棚位置まで繰り出して釣りを行うのが一般的である。
【０００４】
【発明が解決しようとする課題】
しかし乍ら、釣りを行っている間に釣り船は潮の流れや風の影響でポイントから流されてしまい、仕掛けの投入位置とポイントとの間に誤差が生じてしまう。
而も、船釣りに於ては、周囲にランドマーク等が極めて少ないためにポイントの位置を認識する方法が乏しく、このため、釣り人はポイントまでなるべく仕掛けを正確に投入するのに経験と勘に頼らざるを得ず、経験の多い人と少ない人とで釣果に大きな差が生じているのが実情であった。
【０００５】
また、既述したようにＧＰＳ等の位置検索システムによって釣り船の位置を把握することはできるが、釣り人は実釣中にキャビンに入ることは稀であり、実際に自分の現在位置を把握することは困難である。
而も、実際に釣り人が欲しい情報は、現在位置がどこか、また、自分がどれだけポイントから離れているか、更にまた、ポイントからどの方向にどの程度流されているか等、状況に応じ多種多様である。
【０００６】
本発明は斯かる実情に鑑み案出されたもので、例えば潮によって自分の乗った釣り船がポイントに対してどの方向にどの程度の速さで流されているのか、といったことを把握することのできる魚釣用リールを提供することを目的とする。
【０００７】
【課題を解決するための手段】
斯かる目的を達成するため、請求項１に係る発明は、釣糸の繰出しで回転する回転体の回転数に基づき糸長を計測して、その計測値を表示器に表示させる糸長計測装置を備えた魚釣用リールであって、前記魚釣用リールの現在位置を検出してそのデータを送信する外部送信手段からの送信データを受信する受信部と、任意に設定可能な所定の位置を記憶する記憶手段と、前記送信データと記憶手段に設定した記憶位置に基づき、記憶位置に対する魚釣用リールの移動方向と移動速度を検出する方向／速度検出手段とを備え、前記表示器に、魚釣用リールの移動方向と移動速度を表示可能としたことを特徴とする。
【０００８】
そして、請求項２に係る発明は、釣糸の繰出しで回転する回転体の回転数に基づき糸長を計測して、その計測値を表示器に表示させる糸長計測装置を備えた魚釣用リールであって、魚釣用リールの現在位置を検出する位置検出手段と、任意に設定可能な所定の位置を記憶する記憶手段と、前記位置検出手段の検出値と記憶手段に設定した記憶位置に基づき、記憶位置に対する魚釣用リールの移動方向と移動速度を検出する方向／速度検出手段とを備え、前記表示器に、魚釣用リールの移動方向と移動速度を表示可能としたことを特徴とする。
【００１２】
（作用）
請求項１及び請求項２に係る魚釣用リールによれば、糸長計測装置の計測値が表示器に表示されると共に、位置検出手段の検出値と記憶手段に設定した記憶位置に基づき、方向／速度検出手段が当該記憶位置に対する釣り具の移動方向と移動速度を検出し、その検出結果が前記表示器に表示される。
【００１３】
従って、例えば釣り人が魚釣用リールを持って乗船した釣り船が潮で流されているとき、潮によって釣り船がポイントに対してどの方向にどの程度の速さで流されているかが把握できることとなる。
【００１５】
【発明の実施の形態】
以下、本発明の実施形態を図面に基づき詳細に説明する。
【００１６】
図１は請求項１に係る魚釣用リールの一実施形態を示し、図中、１はリール本体３のフレーム、５，７は当該フレーム１の左右に取り付く側板で、両側板５，７間にスプール軸を介してスプール９が回転可能に支持されている。
【００１７】
スプール９は、スプールモータの駆動やハンドル１１の巻取り操作で回転して釣糸が巻回されるようになっており、スプールモータはスプール９前方のフレーム１に一体成形されたモータケース内に収納されている。
そして、側板７の上部前方には、特許第２９７７９７８号公報で開示された電動リールと同様、スプールモータのモータ出力を調節するレバー形状のモータ出力調節体（以下、「パワーレバー」という）１３がハンドル１１と同方向へ回転操作可能に取り付けられており、当該パワーレバー１３の操作で、制御ボックス１５内に装着した図２のマイクロコンピュータ１７が、モータ出力をモータ停止状態から最大値（０〜１００％）まで連続的に増減してスプール９の巻取り速度を制御するようになっている。
【００１８】
また、制御ボックス１５の上部の操作パネル１９上には、側板７内に装着したクラッチ機構のクラッチスイッチ２１が装着されており、当該クラッチスイッチ２１の操作でクラッチ機構がＯＮ／ＯＦＦに切り換わって、スプール９へのスプールモータやハンドル１１の駆動力が伝達，遮断されるようになっている。
一方、図１中、２３はスプール９の回転数とその回転方向を検出する回転数検出手段で、当該回転数検出手段２３は、フレーム１に装着された一対のリードスイッ２５と、これに対向してスプール９の一端側周縁部に固着された複数のマグネット２７とで構成されており、リードスイッチ２５はマイクロコンピュータ１７のＣＰＵに接続されている。
【００１９】
而して、ＣＰＵは、特開平５−１０３５６７号公報で開示された魚釣用リールと同様、リードスイッチ２５から出力されるスプール９の正転，逆転の判定信号を取り込んで釣糸の繰出しか巻取りかを判定すると共に、リードスイッチ２５から取り込むスプール９の回転パルス信号をカウントして、この計数値を基にマイクロコンピュータ１７のＲＯＭに記憶された糸長計算式を演算実行するようになっている。
【００２０】
そして、ＣＰＵは、後述する表示駆動回路６１を介してその演算結果を、操作パネル１９上の表示器２９に表示させるようになっており、釣り人は斯かる表示値を確認し乍ら、所定の水深に仕掛けを繰り出したり、ハンドル１１やパワーレバー１３の操作で釣糸を巻き上げることができる。
また、操作パネル１９上には、表示器２９に隣接してリセットスイッチ３１やモードスイッチ３３，棚スイッチ３５，コマセスイッチ３７等が装着されており、図３に示すようにモードスイッチ３３の操作で、マイクロコンピュータ１７は「実釣モード」，「自船位置表示モード」，「相対位置表示モード」，「方向／速度表示モード」に順次切り換わるようになっている。
【００２１】
即ち、既述したようにマイクロコンピュータ１７は、リードスイッチ２５から取り込むスプール９の回転パルス信号をカウントし、この計数値を基に糸長計算式を演算実行して演算結果を表示器２９に表示させるが、図１に示すように表示器２９には、従来と同様、上カラ表示部２９ａと棚カラ表示部２９ｂが設けられており、実釣モードや相対位置表示モードに於て、マイクロコンピュータ１７はリードスイッチ２５からの回転パルス信号を基に釣糸の繰出し量を演算して、この演算結果を上カラ表示部２９ａに表示する。
【００２２】
そして、釣糸が竿先から水面まで繰り出された処で釣り人がリセットスイッチ３１を操作すると、上カラ表示部２９ａの表示値が「０．０」にリセットされるようになっている。
この後、釣り人が釣糸を繰り出していくと、糸長計測手段で計測された糸長計測値が上カラ表示部２９ａに表示され、そして、釣糸が例えば９５．５ｍ繰り出された処で棚スイッチ３５を操作すると、棚カラ表示部２９ｂに「０．０」が表示されて棚位置が設定され、以後、釣糸の巻上げに伴う棚位置からの仕掛けの位置と水面からの繰出し量が、上カラ表示部２９ａと棚カラ表示部２９ｂに、夫々、表示されるようになっている。
【００２３】
更にまた、表示器２９には、図４に示すように上カラ表示部２９ａと棚カラ表示部２９ｂに加え、デジタル表示部２９ｃ-1と、当該デジタル表示部２９ｃ-1を囲む８片のセグメント２９ｃ-2とで構成された従来周知のタイマー表示部２９ｃが設けられており、上述したコマセスイッチ３７の操作で制御ボックス１５内の計時手段が作動し、計時された時間がタイマー表示部２９ｃに表示されてコマセの詰替え時期が確認できるようになっている。
【００２４】
尚、上記タイマー表示部２９ｃは、後述するように「方向／速度表示モード」に於て、設定した例えばポイントに対して釣り船が潮で流されている方向を矢印で表示すると共に、潮の流れの速度を表示する機能に切り換わるように構成されている。
ところで、既述したように釣りを行っている間に釣り船は潮の流れでポイントから流され、仕掛けの投入位置と所定のポイントとの間に誤差が生じる。そして、海上には周囲にランドマークが少ないためポイントの位置を認識することが難しく、釣り人はポイントに仕掛けを正確に投入するのに経験と勘に頼らざるを得なかった。
【００２５】
しかし、近年、海上に於ける自船位置を把握するためにＧＰＳ等の位置検索システムが釣り船に備わっており、図２に示すように釣り船３９では、ＧＰＳ受信機４１のアンテナ（ＡＮＴ）４３で受信した複数のＧＰＳ衛星からの電波をマイクロコンピュータ４５で演算処理して、自船の現在位置が把握できるようになっている。
【００２６】
そこで、本実施形態は、上記構成に加え、釣り船３９にジャイロ４７を装着し、これをマイクロコンピュータ４５に接続することで釣り船３９の現在位置と向きを判断させると共に、そのデータを送信機４９のアンテナ（ＡＮＴ）５１を介して魚釣用リール５３側に送信させるようになっている。
一方、魚釣用リール５３には、送信機４９からの送信データをアンテナ（ＡＮＴ）５５を介して受信する受信機５７が装着されており、受信機５７は受信データをマイクロコンピュータ１７に入力する。
【００２７】
そして、釣り人がモードスイッチ３３を操作してマイクロコンピュータ１７を実釣モードから自船位置表示モードに切り換えると、図５に示すようにマイクロコンピュータ１７は、釣り船３９側から受信した魚釣用リール５３（乗船している釣り船３９）の現在位置を、表示駆動回路５９を介して上カラ表示部２９ａと棚カラ表示部２９ｂに、夫々、表示させるようになっている。
【００２８】
尚、図５に示すように本実施形態では、上カラ表示部２９ａに経度（東経）、そして、棚カラ表示部２９ｂに緯度（北緯）を表示させている。
そして、斯かる自船位置表示モードで釣り人がモードスイッチ３３を長押しすると、その現在位置がポイントとして自船位置記憶装置（ＲＡＭ）６１に記憶されて、マイクロコンピュータ１７が相対位置表示モードに移行するようになっている。
【００２９】
而して、既述したように釣りを行っている間に釣り船３９は、図７に示すように潮の流れや風の影響で設定したポイントＰから流され、仕掛けの投入位置とポイントＰとの間に誤差が生じる。
そこで、先ず、相対位置表示モードに於てマイクロコンピュータ１７は、釣り船３９側からの送信データ（釣り船３９の現在位置と向き）に基づき、魚釣用リール５３の現在位置と設定したポイントＰとを比較して、図６及び図７に示すようにタイマー表示部２９ｃのデジタル表示部２９ｃ-1にポイントＰまでの距離を表示させると共に、セグメント２９ｃ-2を用いてポイントＰの方向を表示させるようになっている。
【００３０】
尚、セグメント２９ｃ-2は船首が上に設定されている。
そして、図６に示すようにマイクロコンピュータ１７は、この相対位置表示モードで、上カラ表示部２９ａと棚カラ表示部２９ｂを、釣糸の繰出しに伴う糸長計測値の表示に切り換えるようになっている。
また、上記相対位置表示モードで、釣り人が更にモードスイッチ３３を操作すると、マイクロコンピュータ１７は方向／速度表示モードに移行する。
【００３１】
而して、斯様に方向／速度表示モードに移行すると、既述したタイマー表示部２９ｃは、図８に示すようにポイントＰに対して釣り船３９が潮で流されている方向を矢印で表示する方向表示部６３-1と、潮の流れの速度（単位；ｍ／ｓ）をデジタル表示させる速度表示部６３-2からなる方向／速度表示部６３に切り換わる。そして、マイクロコンピュータ１７は、釣り船３９側からの送信データに基づき、魚釣用リール５３の現在位置とポイントＰから潮で流されている釣り船３９の移動方向を求めて、これを方向表示部６３-1に表示すると共に、設定したポイントＰに対する単位時間当たりの釣り船３９の移動量から潮の速度を求めて、これを速度表示部６３-2に表示させるようになっている。
【００３２】
そして、図８に示すようにマイクロコンピュータ１７は、この方向／速度表示モードに於ても、上カラ表示部２９ａと棚カラ表示部２９ｂに糸長計測値を表示させる。
この後、釣り人がモードスイッチ３３を操作すると、マイクロコンピュータ１７は実釣モードに切り換わって、図４に示すように方向／速度表示部６３がタイマ表示機能に切り換わり、また、各モードでリセットスイッチ３１を操作すると、直ちに実釣モードに復帰するようになっている。
【００３３】
本実施形態に係る魚釣用リール５３はこのように構成されており、先ず、釣り船３９に乗船した釣り人は、釣り船３９によって所定のポイントに案内され、斯かるポイントで釣りを行うこととなるが、ポイントに着いて釣り船３９側から釣り船３９の現在位置と向きを送信機４９を介して魚釣用リール５３に送信させ、魚釣用リール５３ではこれを受信機５７で受信して、この受信データをマイクロコンピュータ１７に入力させる。
【００３４】
そして、釣り人がモードスイッチ３３を操作してマイクロコンピュータ１７を自船位置表示モードに切り換えると、釣り船３９側から受信した釣り船３９、即ち、魚釣用リール５３の現在位置が図５の如く上カラ表示部２９ａと棚カラ表示部２９ｂに表示されることとなる。
【００３５】
而して、斯かる状態で釣り人がモードスイッチ３３を長押しすれば、その現在位置がポイントＰとして自船位置記憶装置６１に記憶され、この後、リセットスイッチ３１の操作でマイクロコンピュータ１７を実釣モードに切り換えて釣りを開始すればよい。
斯かる実釣モードに於て、クラッチスイッチ２１の操作でクラッチ機構がクラッチＯＮ／ＯＦＦに切り換わり、釣糸の繰出しに伴い、糸長計測手段で計測された糸長計測値が上カラ表示部２９ａに表示され、釣糸が例えば９５．５ｍ繰り出された処で底／棚設定スイッチ３５を操作すると、棚カラ表示部２９ｂに「０．０」が表示されて底位置が設定され、以後、釣糸の巻上げに伴う棚位置からの仕掛けの位置と水面からの繰出し量が、上カラ表示部２９ａと棚カラ表示部２９ｂに夫々表示される。
【００３６】
そして、魚の当たりが合った場合に、クラッチスイッチ２１の操作でクラッチ機構をクラッチＯＮに切り換えれば、ハンドル１１やパワーレバー１３の操作で釣糸がスプール９に巻き取られ、また、釣場の状況に応じたパワーレバー１３の操作でスプールモータが停止したり、巻取り速度が低速から高速へ連続的に切り換わることとなる。
【００３７】
しかし、釣りを行っている間に釣り船３９は、図７に示すように潮の流れや風の影響で設定したポイントＰから流され、仕掛けの投入位置とポイントＰとの間に誤差が生じてくる。
そこで、釣り人がモードスイッチ３３を操作してマイクロコンピュータ１７を実釣モードから自船位置表示モードを経て相対位置表示モードに切り換えると、マイクロコンピュータ１７は、図６及び図７に示すように釣り船３９側から受信するデータ（釣り船３９の現在位置と向き）に基づき、魚釣用リール５３の現在位置と設定したポイントＰとを比較，演算して、タイマー表示部２９ｃのデジタル表示部２９ｃ-1にポイントＰまでの距離を表示し、また、セグメント２９ｃ-2を用いてポイントＰの方向を表示させると共に、上カラ表示部２９ａと棚カラ表示部２９ｂの表示を、釣糸の繰出しに伴う糸長計測値に切り換える。
【００３８】
更にまた、釣り人がモードスイッチ３３を操作してマイクロコンピュータ１７を相対位置表示モードから方向／速度表示モードに切り換えると、マイクロコンピュータ１７は、釣り船３９側からの送信データに基づき、魚釣用リール５３の現在位置とポイントＰから潮で流されている釣り船３９の進行方向を求めて、図８に示すようにこれを方向表示部６３-1に表示すると共に、ポイントＰに対する単位時間当たりの釣り船３９の移動量から潮の速度を求めて、これを速度表示部６３-2に表示させる。
【００３９】
従って、釣り人は、図７に示す相対位置表示モードや図８に示す方向／速度表示モードでの表示を見乍ら、ポイントＰの方向に仕掛けを投入することで設定したポイントＰに仕掛けが繰り出され、また、釣り船３９がポイントＰから余りにも遠くへ流されている場合には、釣り船３９をポイントＰまで戻してもらえばよい。
【００４０】
このように本実施形態に係る魚釣用リール５３によれば、船釣りに於て、自分のいる位置がポイントＰからどのくらいずれているか、また、潮がどの方向にどの位の速度で流れているかを把握することができるため、勘と経験に頼っていた従来に比し初めての釣場でも、糸長計測データとの併用によって確実に釣果を伸ばすことが可能となった。
【００４１】
また、本実施形態によれば、表示器２９を通してポイントＰとの相対位置や、潮がどの方向にどの位の速度で流れているかを認識できるため、これらを検出する釣り具以外の別途の余分な荷物（装置）を釣り場に持っていく必要がない利点を有する。
尚、図２に示すように上記実施形態では、自らの現在位置を検出する位置検出手段としてのＧＰＳ受信機４１とジャイロ４７，マイクロコンピュータ４５、そして、このデータを送信する外部送信手段としての送信機４９を釣り船３９側に装着する一方、任意に設定可能なポイントＰを記憶する記憶手段としての自船位置記憶装置６１と、ポイントＰと現在位置とを比較し、且つ潮によって釣り船３９がどの方向にどの程度の速さで流されているかを検出する方向／速度検出手段としてのマイクロコンピュータ１７、そして、送信機４９からの送信データを受信する受信機５７を魚釣用リール５３側に装着したが、図示しない請求項２の一実施形態に係る魚釣用リールのように、自らの現在位置を検出する位置検出手段としてのＧＰＳ受信機とジャイロを魚釣用リール側に装着してもよい。
【００４４】
而して、この実施形態によっても、釣り人は釣り船３９での釣りに於て、自分のいる位置がポイントＰからどのくらいずれているか、また、潮によって釣り船３９がどの方向にどの程度の速さで流されているかを把握することができることは勿論、様々なポイントに於て、釣り人自らがリールを通してポイントの設定が可能となるので、実績のあるポイントや複数回訪れるポイント等を魚釣用リールに記憶させることで独自のデータを複数保有することができることとなって、更に釣果を期待することができる。
【００４７】
【発明の効果】
以上述べたように、請求項１及び請求項２に係る発明によれば、釣り人は船釣りに於て、潮によって釣り船がポイントに対してどの方向にどの程度の速さで流されているかといったことを把握することができるため、糸長計測データとの併用によって、勘と経験に頼っていた従来に比し初めての釣場でも確実に釣果を伸ばすことが可能となった。
また、これらの発明によれば、移動の方向や速度を検出する釣り具以外の余分な荷物（装置）を釣り場に持っていく必要もない利点を有する。
【図面の簡単な説明】
【図１】  請求項１の一実施形態に係る魚釣用リールの平面図である。
【図２】  魚釣用リールの制御ブロック図である。
【図３】モードスイッチの操作によるマイクロコンピュータのモードの変化を示すフローチャートである。
【図４】実釣モードに於ける表示器の表示状態を示す説明図である。
【図５】自船位置表示モードに於ける表示器の表示状態を示す説明図である。
【図６】相対位置表示モードに於ける表示器の表示状態を示す説明図である。
【図７】ポイントに対する釣り船の位置と相対位置表示モード時の表示器の表示状態を示す説明図である。
【図８】ポイントに対する釣り船の位置と方向／速度表示モード時の表示器の表示状態を示す説明図である。
【符号の説明】
３  リール本体
９  スプール
１３  パワーレバー
１７，４５  マイクロコンピュータ
２１  クラッチスイッチ
２９  表示器
２９ａ  上カラ表示部
２９ｂ  棚カラ表示部
２９ｃ  タイマー表示部
２９ｃ-1  デジタル表示部
２９ｃ-2  セグメント
３３  モードスイッチ
３９  釣り船
４１  ＧＰＳ受信機
４７  ジャイロ
４９  送信機
５３  魚釣用リール
５７  受信機
６１  自船位置記憶装置
６３  方向／速度表示部
６３-1  方向表示部
６３-2  速度表示部
【図１】
0003833130.tif 000002
【図２】
0003833130.tif 000003
【図３】
0003833130.tif 000004
【図４】
0003833130.tif 000005
【図５】
0003833130.tif 000006
【図６】
0003833130.tif 000007
【図７】
0003833130.tif 000008
【図８】
0003833130.tif 000009